(57)【要約】【課題】位置データを記録する更に柔軟性のあるシステムを提供する。【解決手段】通常、マルチセッション記録と呼ばれる、記録担体上に複数の情報ボリュームを記録する方法と装置が記載される。この装置は、記録された情報ボリュームの位置を示す位置データを記録し且つ検索する制御手段（２０）を有する。制御手段は、セッションマップゾーンを生成するマッピングユニット（３１）を含む。セッションマップゾーンでは、セッションアイテム内に、閉じられたセッション即ち完全に記録されたセッションの位置データを含む、セッションマップブロック（ＳＥＭ）が記録される。更に、装置は前記セッションマップゾーンからセッションマップブロックを検索する検出ユニット（３２）を有する。【選択図】図１２
2011175731.tif 000002
【特許請求の範囲】
【請求項１】
ライトワンス形式の記録担体上の記録可能領域のトラック内の複数セッションから情報を取得する装置であって、この情報ボリュームは、スタートゾーン、データゾーン及び、エンドゾーンを含み、当該装置は、
・記録担体から情報を読み出す検索手段と；
・制御ユニットに結合されたマッピングユニットと；
・前記制御ユニットおよび前記マッピングユニットに結合された検出ユニットとを有しており；
前記記録担体は、セッションマップゾーン内に相続く一連のセッションマップブロックを有し、
前記検出ユニットは、前記セッションマップゾーンから前記セッションマップブロックを検索するよう前記検索手段を制御するよう構成されており、
前記セッションマップゾーンは前記記録担体のリードイン領域の前の内周ドライブエリアに位置しており、
セッションマップブロックは、前記セッションマップブロックを記録する時点での各閉じられたセッションの位置データを相続く一連のセッションアイテム内に含む一つのＥＣＣブロックであり、各セッションアイテムは一つの閉じられたセッションの位置データを含むものであり、閉じられたセッションは情報の記録が完了しているセッションであり、ＥＣＣブロックは複数のフレームを有する最小の記録可能な単位であり、各フレームは誤り訂正符号を含み、ＥＣＣはさらなる訂正符号を含み、
前記マッピングユニットは、最後のセッションマップブロックである、すべての閉じられたセッションの位置を含むセッションマップブロックを取得するよう前記検索手段を制御するよう構成されている、装置。
【請求項２】
前記セッションマップブロックは各閉じられたセッションについて少なくとも１つのセッションアイテムを含み、セッションアイテムは対応する閉じられたセッションのスタート及びエンドアドレスを含む、請求項１に記載の装置。
【請求項３】
前記セッションアイテムは、セッションを識別するセッション番号を含む、請求項１に記載の装置。
【請求項４】
前記セッションマップブロックは、そのセッションマップブロックを記録した装置を示すドライブ識別子を含む、請求項１に記載の装置。
【請求項５】
前記セッションマップゾーンは、１９１ＥＣＣブロックの長さを有し、１つのＥＣＣブロックは、情報とその情報を取得するときに発生する誤りを訂正するための誤り訂正符号を含む、請求項１に記載の装置。
【請求項６】
ライトワンス形式の記録担体上の記録可能領域のトラック内の複数セッションから情報を取得する方法であって、この情報ボリュームは、スタートゾーン、データゾーン及び、エンドゾーンを含み、
前記記録担体は、前記記録担体の内周ドライブエリアに位置するセッションマップゾーン内に、相続く一連のセッションマップブロックを有し、
当該方法は、
前記セッションマップゾーン内に記録されたセッションマップブロックを検索するために光ディスクから情報を読み出す段階を有しており、
セッションマップブロックは、前記セッションマップブロックを記録する時点での各閉じられたセッションの位置データを相続く一連のセッションアイテム内に含む一つのＥＣＣブロックであり、各セッションアイテムは一つの閉じられたセッションの位置データを含むものであり、閉じられたセッションは情報の記録が完了しているセッションであり、ＥＣＣブロックはフレームを有する最小の記録可能な単位であり、各フレームは誤り訂正符号を含み、ＥＣＣはさらなる訂正符号を含み、
当該方法がさらに、最後のセッションマップブロックである、すべての閉じられたセッションの位置を含むセッションマップブロックを取得する段階を含む、方法。
【発明の詳細な説明】
【技術分野】
【０００１】
本発明は、記録担体上の記録可能領域のトラック内の少なくとも１つの情報ボリュームに情報を記録する装置に関連し、この情報ボリュームは、スタートゾーン、データゾーン及び、エンドゾーンを含み、この装置は、情報を表すマークを記録する記録手段と記録された情報ボリュームの位置を示す位置データを記録し且つ検索する制御手段を有する。
【０００２】
本発明は更に、記録担体上の記録可能領域のトラック内の少なくとも１つの情報ボリュームに情報を記録する方法に関連し、この情報ボリュームは、スタートゾーン、データゾーン及び、エンドゾーンを含み、この方法は、情報を表すマークと記録された情報ボリュームの位置を示す位置データを記録する。
【０００３】
本発明は更に、少なくとも１つの情報ボリュームを記録する記録可能領域内にトラックを有する記録担体に関連し、この情報ボリュームは、スタートゾーン、データゾーン及び、エンドゾーンを含み、このトラックは、情報を表すマークと記録された情報ボリュームの位置を示す位置データを含む。
【背景技術】
【０００４】
記録担体上に情報信号を記録する装置及び方法は、米国特許番号５，３４１，３５６（ＰＨＮ１３６６１）から知られている。情報は、データワードと情報ブロック内の誤りを訂正するための誤り訂正ワードを有する情報ブロックに符号化される。装置は、情報を表すマークを記録する記録手段を有する。少なくとも１つの情報ブロックの情報は、変調された信号へ変調されそして、予め形成されたトラック位置情報により示された予め定められた場所でトラックに記録される。装置は、マルチセッションレイアウトでのセッションとも呼ばれる、一連のボリュームにフォーマットされた情報を記録する。各ボリュームは、リードインとも呼ばれるスタートゾーン、データゾーン及び、リードアウトとも呼ばれるエンドゾーンを有する。装置は、記録された情報ボリュームの位置を示す位置データを記録し且つ検索する制御手段を有する。特に、リードアウトでは、セッションのスタートゾーンの位置を捜すためのポインタが、記録される。更に、リードインには、そのセッションのリードアウトの位置に関する情報を含み、そして、これゆえに、（もしあれば）次のセッションのスタートゾーンの位置に関する情報も含む。特定のセッションの位置を捜すために、この装置は、未記録領域の境界を検出することにより、最後に記録されたセッションの位置を捜し、そして、最後のリードアウトを読み出しそして、記録された領域の先頭のセションのチェインに追う。代わりに、装置は、第1セッションのリードインを読み、そして、一連のボリュームのリードインを読むことにより、セッションのチェインを追う。特定のセッションをアクセスする時間は、前記セッションのチェインに沿ってジャンプするのに要求される時間の量により決定される。ＣＤ−Ｒのようなライトワンス形式の記録担体では、位置データは上書きできない。
【発明の概要】
【発明が解決しようとする課題】
【０００５】
本発明の目的は、位置データを記録する更に柔軟性のあるシステムを提供することである。
【課題を解決するための手段】
【０００６】
この目的のために、オープニングパラグラフで記載の装置は、この制御手段は、セッションマップゾーン内に少なくとも１つのセッションマップブロックを記録するマッピング手段を有し、セッションマップブロックは、閉じられたセッションの位置データを含み、閉じられたセッションは完全に記録された情報ボリュームであり、且つ、前記セッションマップゾーンからセッションマップブロックを検索する検出手段を有する、ことを特徴とする。オープニングパラグラフで記載の方法は、この方法は、セッションマップゾーン内に少なくとも１つのセッションマップブロックを記録し、セッションマップブロックは、閉じられたセッションの位置データを含み、閉じられたセッションは完全に記録された情報ボリュームであり、且つ、前記セッションマップゾーンからセッションマップブロックを検索する、ことを特徴とする。オープニングパラグラフで記載の記録担体は、この記録担体は、セッションマップゾーン内に少なくとも１つのセッションマップブロックを有し、セッションマップブロックは、閉じられたセッションの位置データを含み、閉じられたセッションは完全に記録された情報ボリュームである、ことを特徴とする。これは、記録されたセッションのマップが、記録装置で利用できるという、利点を有する。特にこれは、例えば、ＵＤＦファイルシステムに従って、ユーザコンテンツ管理データから消去された、コンピュータアプリケーション内のファイルのような、記録されたデータの位置を捜すのに有利である。そのような消去されたファイルが回復されなければならないときには、装置は、消去されたデータの位置データをまだ有する、前のバージョンのコンテンツ管理データを検索するために、前に記録されたセッションにアクセスすることができる。
【０００７】
本発明は、以下の認識に基づいている。発明者は、前に記録されたセッションにアクセスする要求に対する記録装置の応答時間のかなりの部分が、アクセスされたセッションの位置データを検索するのに要求される時間に起因するということが分かった。続いて、発明者は、応答時間は、セッションマップエリア内にセッションに関する情報を記録することにより短縮されるということが分かった。
【０００８】
装置の実施例では、マッピング手段は、相続く一連の（consecutive）セッションマップブロックを記録するように配置され、そして、最後に記録されたセッションマップブロックが、各閉じられたセッションについての相続く一連のセッションアイテムを含む。これは、全ての記録されたセッションに関する最新の情報が、単一のセッションマップブロックで入手できるという利点を有する。最後に記録されたセッションマップブロックのみが検索及び処理されるために必要であるので、セッションにアクセスする装置の応答時間は、短縮される。
【０００９】
本発明のこれらの及び他の面は、以下の説明の例によりそして添付の図面を参照して、明らかとなるであろう。
異なる図面で対応する要素は同一の参照番号を有する。
【図面の簡単な説明】
【００１０】
【図１ａ】記録担体を示す（上面図）。
【図１ｂ】記録担体を示す（断面図）。
【図２】記録装置を示す。
【図３】ＡＤＩＰと情報ブロックの整列を示す。
【図４】ＡＤＩＰワード構造を示す。
【図５】ＡＤＩＰ誤り訂正構造を示す。
【図６】ＡＤＩＰ変調規則を示す。
【図７】物理的ディスク情報のテーブルを示す。
【図８】前縁補正時間を示す。
【図９】記録担体セクタ番号付けを示す。
【図１０】記録された単一セッションディスクのレイアウトを示す。
【図１１】内周ドライブエリアを示す。
【図１２】セッションマップブロックのフォーマットを示す。
【図１３】セッションアイテムを示す。
【図１４】記録エリアインジケータを示す。
【図１５】リードインゾーンを示す。
【図１６】制御データブロックの構造を示す。
【図１７】リードアウトゾーンを示す。
【図１８】外周ドライブエリアを示す。
【図１９】マルチセッションディスクの情報ゾーンのレイアウトを示す。
【図２０】開かれたセッションｎの詳細を示す。
【図２１】ディスクコントロールブロック（ＤＣＢ）の一般的なフォーマットを示す。
【図２２】セッションＤＣＢ（ＳＤＣＢ）のフォーマットを示す。
【図２３】予約されたエリアアイテムを示す。
【図２４】前のセッションアイテムを示す。
【発明を実施するための形態】
【００１１】
図１ａは、トラック９と中央穴１０を有するディスク状記録担体１１を示す。トラック９は、情報を表す一連の記録された（される）マークの位置であり、情報層上に実質的に平行トラックを構成するらせんパターンのターンに従って、配置される。記録担体は、光学的に読み出し可能であり、光ディスクと呼ばれ、そして、記録可能な形式の情報層を有する。記録可能なディスクの例は、ＣＤ−Ｒ及びＣＤ−ＲＷ及び、ＤＶＤの書き込み可能版、ＤＶＤ＋ＲＷである。ＤＶＤディスクに関する更なる詳細は、ＥＣＭＡ−２６７：１２０ｍｍＤＶＤ−読み出し専用ディスク（Ｒｅａｄ  Ｏｎｌｙ  Ｄｉｓｃ）−（１９９７）参照する。情報は、トラックに沿って光学的に検出可能なマーク、即ち、相変化材料内の結晶又はアモルファスマーク、を記録することにより、情報層上に表される。記録可能形式の記録担体上のトラック９は、ブランク記録担体の製造中に設けられるプリエンボスドトラック構造により示される。トラック構造は、例えば、読み出し／書き込みヘッドが走査中にトラックを追従することを可能とする、プリグルーブ１４により、により構成される。トラック構造は、通常は情報ブロックと呼ばれる、情報の単位の位置を示す、例えばアドレスのような、位置情報を有する。位置情報は、そのような情報ブロックの開始の位置を捜すための特別の同期マークを有する。位置情報は、以下に示すように、変調されたウォブルのフレームに符号化される。
【００１２】
図１ｂは、記録可能な形式の記録担体１１の線ｂ−ｂに沿った断面であり、透明基板１５に、記録層１６と保護層１７が設けられている。保護層１７は、例えば、記録層が０．６ｍｍ基板でありそして、０．６ｍｍの更なる基板がその背面に張り合わされているＤＶＤでのように、更なる基板層を含んでもよい。プリグルーブ１４は、基板１５材料のくぼみ又は突起として又は、材料特性のその周囲からの偏差として、実装される。
【００１３】
記録担体１１は、フレームを含む変調された信号により表される情報を記録することが意図されている。フレームは、同期信号が先頭に付される予め定められた量のデータである。通常は、そのようなフレームは、例えば、パリティワードのような、誤り訂正符号も含む。幾つかのそのようなフレームは、情報ブロックを構成し、情報ブロックは更なる誤り訂正ワードを含む。情報ブロックは、最小の記録可能な単位であり、それから情報が信頼性をもって検索される。そのような記録システムは、ＤＶＤシステムから知られ、そこでは、フレームは１７２データワードと１０パリティワードを有し、そして、２０８フレームがＥＣＣブロックを構成する。
【００１４】
記録担体の実施例では、トラックは、図１９から２４を参照して以下に記載するフォーマットに従ったマルチセッション情報を有する。
【００１５】
図２は、例えば、ＣＤ−Ｒ又はＣＤ−ＲＷのような、書き込み可能又は再書き込み可能な形式の記録担体１１上に情報を書き込む記録装置を示す。装置は、記録担体上のトラックを走査する記録手段が設けられ、この手段は、記録担体１１を回転させる駆動ユニット２１、ヘッド２２、トラックの半径方向にヘッド２２を粗く位置決めする位置決めユニット２５及び、制御ユニット２０を有する。ヘッド２２は、記録担体の情報層上のトラック上に放射スポット２３を集束させる光学要素を通して案内される放射ビーム２４を発生する、知られた形式の光学系を含む。放射ビーム２４は、例えば、レーザダイオードのような、放射源により発生される。ヘッドは、更に、前記ビームの光軸に沿って放射ビーム２４の焦点を移動するフォーカシングアクチュエータと、トラックの中心上で半径方向にスポット２３の位置を微調整するトラッキングアクチュエータを有する（図示していない）。トラッキングアクチュエータは、光学部品を半径方向に移動するコイルを有し又は、代わりに反射部品の角度を変更するように配置される。情報を書き込むために、放射は記録層に光学的に検出できるマークを生成するように制御される。読み出すためには、情報層により反射された放射は、読み出し信号と、更に前記トラッキング及びフォーカシングアクチュエータを制御するトラッキング誤差及びフォーカシング誤差信号を含む検出器信号を発生するために、ヘッド２２内で、例えば、４−四分円ダイオードのような、通常の形式の検出器で検出される。読み出し信号は、情報を検索する出力ユニットために、復調器、逆フォーマッタ及び、を含む通常の形式の読み出し処理ユニット３０により処理される。従って、読み出し情報の検索手段は、駆動ユニット２１、ヘッド２２、位置決めユニット２５及び、読み出し処理ユニット３０を有する。装置は、ヘッド２２を駆動する書き込み信号を発生するために入力信号を処理する書き込み処理手段を有し、この手段は、入力ユニット２７を有し、及び、フォーマッタ２８と変調器２９を含む変調手段を有する。制御ユニット２０は、情報の記録と検索を制御しそして、ユーザ又はホストコンピュータからコマンドを受信するように配置される。制御ユニット２０は、例えば、システムバスのような、制御線２６を介して、前記入力ユニット２７へ、フォーマッタ２８及び、変調器２９、読み出し処理ユニット３０へ及び、駆動ユニット２１へ及び、位置決めユニット２５接続される。制御ユニット２０は、図３から２４を参照して以下に説明するように、本発明に従った手順と機能を実行する、例えば、マイクロプロセッサ、プログラムメモリ及び、制御ゲートのような制御回路を有する。制御ユニット２０は、論理回路の状態マシンとしても実行されうる。書き込み動作中は、情報を表すマークが記録担体上に形成される。マークは、例えば、色素、合金又は、相変化材料のような記録するときに得られる、周囲と異なる反射係数の領域の形式、又は、光磁気材料の記録のときに得られる、周囲と異なる磁化の方向を有する領域の形式のような、どのような光学的に読み出せる形式でも良い。光ディスク上に記録するための情報の書き込み及び読み出しと使用できるフォーマット、誤り訂正及びチャネル符号化規則は、例えば、ＣＤシステムのような、技術的に良く知られている。マークは、通常はレーザダイオードからの、電磁放射のビーム２４を介して記録層に発生されるスポット２３により形成されうる。ユーザ情報は、入力ユニット２７に与えられ、これは、アナログオーディオ及び／又はビデオ又は、ディジタル未圧縮オーディオ／ビデオのような入力信号を圧縮する手段を有してもよい。適する圧縮手段は、ＷＯ９８／１６０１４−Ａ１（ＰＨＮ１６４５２）でオーディオについて、そして、ＭＰＥＧ２規格でビデオについて、記載されている。入力ユニット２７は、オーディオ及び／又はビデオを情報のユニットに処理し、これは、例えば、誤り訂正符号（ＥＣＣ）を加える及び／又はインターリービングすることにより、（以下に記載されるように）制御データを加えそして記録フォーマットに従ってデータをフォーマットするためにフォーマッタ２８へ送られる。コンピュータアプリケーションについては、情報のユニットは、フォーマッタ２８と直接的にインターフェースされる。フォーマッタ２８の出力からのフォーマットされたデータは、変調ユニット２９に送られ、これは、例えば、ヘッド２２を駆動する変調された信号を発生する、チャネル符号化器を含む。更に、変調ユニット２９は、変調された信号に同期パターンを含める同期手段を有する。変調器２９の入力へ与えられたフォーマットされたユニットは、アドレス情報を有し、そして、制御ユニット２０の制御下で、記録担体上の対応するアドレス可能な位置に書き込まれる。制御ユニット２０は、記録された情報ボリュームの位置を示す位置データを記録し且つ検索するように配置される。この装置は、制御ユニット２０に接続されたマッピングユニット３１を有するマッピング手段と、制御ユニット２０とマッピングユニット３１に接続された検出ユニット３２を有する検出手段を有する。マッピングユニット３１は、以下に説明するように、セッションマップゾーン内のセッションマップブロックを書くためにフォーマッタ２８に接続された出力３３を有する。検出ユニット３２は、セッションマップゾーンからセッションマップブロックを検出するために読み出し処理ユニット３０に接続された入力３４を有する。検出ユニット３２は、現在存在するデータを含む新たなセッションマップブロックを発生するために検出されたセッションマップブロックからデータを転送するためにマッピングユニット３１へ接続されている。マッピングユニット３１は、セッションとも呼ばれる、記録される情報ボリュームの位置、特に各閉じられたセッションのスタート及びエンドアドレスを決定するように配置される。イントロゾーン（Ｉｎｔｒｏ  ｚｏｎｅ）に書き込むことにより、最初にセッションが開かれ、ユーザデータが幾つかの書き込みコマンドにより書き込まれそして、最終的に、全ての残りのブランクエリアを満たし、そして、以下に示すように、セッション制御ブロックとクロージャ部をそのボリュームのエンドゾーンに記録することによりセッションが閉じられる。
【００１６】
装置の実施例では、マッピングユニットは、相続く一連のセッションマップブロックを記録するように配置される。セッションが完了した場合には、次のセッションマップブロックが記録され、これは、図１２と１３を参照して以下に説明するように、各閉じられたセッションについてのセッションアイテムを含む。
【００１７】
本発明に従った情報を記録するシステムの実施例は、次のようである。システムは、４，７ギガバイト及び、９，４ギガバイトを有する１２０ｍｍの記録可能な光ディスクの機械的、物理的及び、光学的な特性を規定する。それは、記録された及び未記録の信号の品質、データのフォーマット及び、記録方法を規定し、それにより、そのようなディスクによる情報の相互交換を可能とする。データは、不可逆法を使用して、一度書き込まれそして、多数回読み出される。これらのディスクは、ＤＶＤ＋Ｒとして識別される。トラック形状は次のようである。情報ゾーンと呼ばれる、記録可能な領域は、単一のらせんグルーブから形成されるトラックを含む。各トラックは、連続するらせんの３６０°のターンを形成しなければならない。記録はグルーブになされなければならない。情報ゾーン内のトラックは、ウォブルと呼ばれる、公称の中心線からの位相変調シヌソイド偏差を含み、これはアドレス−イン−プリグルーブ又は、ＡＤＩＰと呼ばれるアドレス情報を含む。トラックは、情報ゾーン内で連続していなければならない。グルーブトラックは、半径２２，０ｍｍ  ｍａｘ．で開始し、そして、５８，５０ｍｍ  ｍｉｎ．で終了しなければならない。トラックパスは、ディスクが反時計周りに回転するときに光学ヘッドから見て、内側（リードインゾーンの先頭）から外側（リードアウトゾーンの最後）へ連続するらせんである。トラックピッチは、隣接トラックの平均のトラック中心線の間で測定された距離である。トラックピッチは、０，７４μｍ±０，０３μｍでなければならない。情報ゾーンをわたり平均されるトラックピッチは、０，７４μｍ±０，０１μｍでなければならない。トラックのウォブルは、公称の中心線からシヌソイド偏差であり、波長４，２６５６μｍ±０，０４５０μｍ（３２チャネルビットに等しい）を有する。ウォブル正弦波を発生する発振器の全高調波歪み（ＴＨＤ）は、≦−４０ｄＢである。ウォブルは、ウォブルサイクルを反転することにより位相変調される。ウォブル変調に含まれている情報は、アドレス−イン−プリグルーブ又は、ＡＤＩＰと呼ばれる。
【００１８】
図３は、ＡＤＩＰと情報ブロックの整列を示す。ディスク上に記録される情報ブロック３７は、ウォブル３８内に変調されているＡＤＩＰ情報３９と整列していなければならない。９３のウォブルは、２同期フレームに対応し、これは情報ブロックの先頭である。各９３ウォブルの、８ウォブルはＡＤＩＰ情報で位相変調される。更に、１ウォブルは３２チャネルビット（＝３２Ｔ）に等しくそして、１つのＡＤＩＰユニット＝２同期ブロック当りの８の変調されたウォブルである。
【００１９】
図４は、ＡＤＩＰワード構造を示す。５２ＡＤＩＰユニットは、１つのＡＤＩＰワードに各々グループ化される。これは、１つのＡＤＩＰワードは、４×１３×２同期フレーム≡４物理セクタ、を意味する。各ＡＤＩＰワードは、１つのＡＤＩＰ同期ユニット＋５１のＡＤＩＰデータユニット、より構成される。ＡＤＩＰ同期ユニット＝ワード同期のための４反転ウォブル＋４モノトーンウォブル。ＡＤＩＰデータユニット＝ビット同期のための１反転ウォブル＋３モノトーンウォブル＋１データビットを表す４つのウォブル（０参照）。
【００２０】
ＡＤＩＰワードのデータビットに含まれる情報は、次のようである。
ビット１：このビットは予約されそしてゼロに設定される。
ビット２から２３：これらの２２ビットは物理アドレスを含む。データビット２は、最大桁ビット（ＭＳＢ）でありデータビット２３は、最小桁ビット（ＬＳＢ）である。アドレスは、各次のＡＤＩＰワードについて１だけ増加する。情報ゾーン内の第１アドレスは、物理アドレス（００Ｃ０００）が、半径
【００２１】
【数１】
2011175731.tif 000003
に配置されているようにしなければならない。
ビット２４から３１：これらの８ビットは、例えば、記録制御情報のような、ディスクに関する補助情報を含む。ディスクのデータゾーンとリードアウトゾーンでは、補助バイトは（００）に設定される。ディスクのリードインゾーンでは、補助バイトは次のように使用される：
２５６の相続く一連のＡＤＩＰワードからのビット２４から３１は、２５６バイトの情報を有する、１つのＡＤＩＰ補助フレームを構成する。各ＡＤＩＰ補助フレームの第１バイトは、２５６の倍数である物理アドレス（物理アドレス＝（ｘｘｘｘ００））を有するＡＤＩＰワード内に配置されなければならない。２５６バイトの内容は、図７に示されている。
ビット３２から５１：これらの２０ビットは、ＡＤＩＰ情報についての誤り訂正パリティを含む。
【００２２】
図５は、ＡＤＩＰ誤り訂正構造を示す。ＡＤＩＰ誤り訂正については、ＡＤＩＰデータビットは、４−ビットのニブルにグループ化される。データビットのニブル配列へのマッピングは図５に定義されている。ビット０は、ダミービットであり、これは、誤り訂正器には、ゼロに設定されていると考えられる。ニブルに基づくＲＳ（１３，８，６）符号が構成され、５パリティのニブルＮ８からＮ１２は、多項式Ｒ（ｘ）の剰余により定義される。
【００２３】
【数２】
2011175731.tif 000004
αは、原始多項式Ｐ（ｘ）＝ｘ４＋ｘ＋１の原始根００１０である。５パリティのニブルＮ８からＮ１２の全てのビットは、記録前に反転される。
【００２４】
図６は、ＡＤＩＰ変調規則を示す。ＡＤＩＰユニットは、８ウォブルサイクルの幾つかを反転することにより、変調される。図６ａは、ＡＤＩＰの同期ワードの変調を示し、図６ｂは、ＡＤＩＰのゼロのビットの変調を示し、そして、図６ｃはＡＤＩＰの１のビットの変調を示す。ここで、
−ＰＷは、正のウォブルであり、これはディスクの内側に向かって開始する。
−ＮＷは、負のウォブルであり、これはディスクの外側に向かって開始する。
−全てのモノトーンウォブルはＰＷとして示されている。
【００２５】
図７は、物理ディスク情報のテーブルを示す。物理ディスク情報は、上述のようにＡＤＩＰに符号化されている。この情報は、図７に示されたように２５６バイトを有する。それは、ディスク情報と、書き込みのための最適なレーザパワーレベルを決定するための最適パワー制御（ＯＰＣ）アルゴリズムに使用される値を含む。この情報は、ディスクの初期化中に制御データと呼ばれる記録可能ゾーン内にコピーされる。データ内容は、次のようである。
バイト０−ディスクカテゴリー及びバージョン番号。
ビットｂ７からｂ４は、ディスクカテゴリーを規定し、ＤＶＤ＋Ｒディスクを示す、１０１０に設定される。
ビットｂ３からｂ０は、バージョン番号を規定し、バージョンを表す００００に設定される。
バイト1−ディスクサイズ及び最大転送レート。
ビットｂ７からｂ４は、ディスクサイズを規定し、１２０ｍｍディスクを示す００００に設定される。
ビットｂ３からｂ０は、最大読み出し転送レートを規定し、最大読み出し転送レートを規定されていないことを示す１１１１に設定される。
バイト２−ディスク構造。
ビットｂ７からｂ４は、００００に設定される。
ビットｂ３からｂ０は、記録相の形式を規定し：ライトワンス記録層を示す、００１０に設定される。
バイト３−記録密度
ビットｂ７からｂ４は、情報ゾーンの平均チャネルビット長を規定し、０，１３３μｍを示す、００００に設定される。
ビットｂ３からｂ０は、平均トラックピッチを規定し、平均トラックピッチ０，７４μｍを示す、００００に設定される。
バイト４から１５−データゾーン配置。
バイト４は、（００）に設定される。
バイト５から７は、データゾーンの第１物理セクタのＰＳＮ１９６．６０８を規定する（０３００００）に設定される。
バイト８は、（００）に設定される。
バイト９から１１は、データゾーンの最後の可能な物理セクタとしてＰＳＮ２．４９１．７１１を規定する（２６０５３Ｆ）に設定される。
バイト１２から１５は、（００）に設定される。
バイト１６−（００）に設定される（００）。
バイト１７から１８は、予約。これらのバイトは予約されそして（００）に設定される。
バイト１９から２６は、ディスク製造者ＩＤ。これらの８バイトはディスクの製造者を示す。使用されていないトレーリングバイトは、（００）に設定される。
バイト２７から２９−媒体形式ＩＤ。ディスク製造者は、異なる形式の媒体を有することができ、これは、これらの３バイトで規定される。特定の形式のディスクは、このフィールドで示される。
バイト３０−製品バージョン番号。このバイトは、２値表記での製品バージョン番号を規定する。同じディスク製造者ＩＤと同じ製品ＩＤを有する全てのディスクは、製品バージョン番号に関わらず、同じ記録特性を有しなければならない（小さな違いのみ許され：製品バージョン番号は記録装置には無関係である）。このバイトが使用されない場合には、（００）に設定される。
バイト３１は、使用している物理フォーマット情報バイトの数。このバイトは、物理フォーマット情報のために実際に使用されているバイトの数を示す、１つの８−ビット２値数を形成する。物理フォーマット情報の最初の５４バイトのみが使用されていることを示す（３６）に設定される。
バイト３２−基準記録速度。このバイトは、ディスクの最も低い可能な記録速度を示し、これは、基準速度ともよばれ、数ｎは、
ｎ＝１０×ｖｒｅｆ（ｎは整数値に丸められる）。基準書き込み速度が３，４９ｍ／ｓを示す（２３）に設定される。
バイト３３−最大記録速度。このバイトは、ディスクの最も高い可能な記録速度を示し、これは、数ｎは、
ｎ＝１０×ｖｒｅｆ（ｎは整数値に丸められる）。基準書き込み速度が８，４４ｍ／ｓを示す（５４）に設定される。
バイト３４は、波長λＩＮＤ。このバイトは、
ｎ＝波長−６００
のような数ｎとして、続くバイト内の最適書き込みパラメータが決定される、レーザのナノメートルでの波長を規定する。
バイト３５は予約。
バイト３６は、基準速度での最大読み出しパワーＰｒ。このバイトは、
ｎ＝２０×（Ｐｒ−０，７）
の数ｎとして、基準速度でのミリワットでの最大読み出しパワーＰｒを規定する。
バイト３７は、基準速度でのＰＩＮＤ。ＰＩＮＤは、ＯＰＣアルゴリズム内で使用されるＰｐｏの決定のための開始値である。このバイトは、
ｎ＝２０×（ＰＩＮＤ−５）のような数ｎとして、基準速度でのミリワットでのＰｐｏの指示値ＰＩＮＤを規定する。
バイト３８は、基準速度でのβｔａｒｇｅｔ。このバイトは、βの目標値を規定し、
ｎ＝１０×βｔａｒｇｅｔ
のような数ｎとして、ＯＰＣアルゴリズムで使用される基準速度でのβｔａｒｇｅｔを規定する。
バイト３９は、最大速度での最大読み出しパワーＰｒを示す。このバイトは、
ｎ＝２０×（Ｐｒ−０，７）
のような数ｎとして、最大速度でのミリワットでの最大読み出しパワーＰｒを規定する。
バイト４０は、最大速度でのＰＩＮＤ。ＰＩＮＤは、ＯＰＣアルゴリズムで使用されるＰｐｏの決定の開始値である。このバイトは、
ｎ＝２０×（ＰＩＮＤ−５）
のような数ｎとして、最大速度でのミリワットでのＰｐｏの指示値ＰＩＮＤを規定する。
バイト４１は、最大速度でのβｔａｒｇｅｔ。このバイトは、βの目標値を規定し、
ｎ＝１０×βｔａｒｇｅｔ
のような数ｎとして、ＯＰＣアルゴリズムで使用される基準速度でのβｔａｒｇｅｔを規定する。
バイト４２は、基準速度での電流マーク≧４に対する、第１パルス継続時間Ｔｔｏｐ（≧４）。このバイトは、基準速度での記録のために電流マークが４Ｔ又はそれより大きいマークのときに、マルチパルストレイン（ｍｕｌｔｉ  ｐｕｌｓｅ  ｔｒａｉｎ）の第１パルスの継続時間を規定する。この値は、
ｎ＝１６×Ｔｔｏｐ／Ｔｗ及び、４≦ｎ≦４０
のような数ｎとして、チャネルビットクロック期間の分数として、表現される。
バイト４３は、基準速度での電流マーク＝３に対する、第１パルス継続時間Ｔｔｏｐ（＝３）。このバイトは、基準速度での記録のために電流マークが３Ｔマークのときに、マルチパルストレインの第１パルスの継続時間を規定する。この値は、
ｎ＝１６×Ｔｔｏｐ／Ｔｗ及び、４≦ｎ≦４０
のような数ｎとして、チャネルビットクロック期間の分数として、表現される。
バイト４４は、基準速度でのマルチパルス継続時間Ｔｍｐ。このバイトは、基準速度での記録のためにマルチパルストレインの第２パルスから最後から２番目のパルスの継続時間を規定する。この値は、
ｎ＝１６×Ｔｍｐ／Ｔｗ及び、４≦ｎ≦１６
のような数ｎとして、チャネルビットクロック期間の分数として、表現される。
バイト４５は、基準速度での最後のパルス継続時間Ｔｌｐ。このバイトは、基準速度での記録のためにマルチパルストレインの最後のパルスの継続時間を規定する。この値は、
ｎ＝１６×Ｔｌｐ／Ｔｗ及び、４≦ｎ≦２４
のような数ｎとして、チャネルビットクロック期間の分数として、表現される。
バイト４６は、基準速度での第１パルスリード時間ｄＴｔｏｐ。このバイトは、基準速度での記録のためのデータパルスの第２のチャネルビットの後縁に対する、マルチパルストレインの第１パルスのリード時間を規定する。この値は、
ｎ＝１６×ｄＴｔｏｐ／Ｔｗ及び、０≦ｎ≦２４
のような数ｎとして、チャネルビットクロック期間の分数として、表現される。
バイト４７は、基準速度での前のスペース＝３に対する、第１のパルス前縁補正ｄＴｌｅ。このバイトのビット７からビット４は、基準速度での記録のために、前のスペースが３Ｔスペースであったときの、マルチパルストレインの第１のパルスに対する前縁補正を規定する。この値は、図８に従って、チャネルビットクロック期間の分数として表現される。
バイト４８は、最大速度での電流マーク≧４に対する、第１パルス継続時間Ｔｔｏｐ（≧４）。このバイトは、最大速度での記録のために電流マークが４Ｔ又はそれより大きいマークのときに、マルチパルストレインの第１パルスの継続時間を規定する。この値は、
ｎ＝１６×Ｔｔｏｐ／Ｔｗ及び、４≦ｎ≦４０
のような数ｎとして、チャネルビットクロック期間の分数として、表現される。
バイト４９は、最大速度での電流マーク＝３に対する、第１パルス継続時間Ｔｔｏｐ（３）。このバイトは、最大速度での記録のために電流マークが３Ｔマークのときに、マルチパルストレインの第１パルスの継続時間を規定する。この値は、
ｎ＝１６×Ｔｔｏｐ／Ｔｗ及び、４≦ｎ≦４０
のような数ｎとして、チャネルビットクロック期間の分数として、表現される。
バイト５０は、最大速度でのマルチパルス継続時間Ｔｍｐ。このバイトは、最大速度での記録のためにマルチパルストレインの第２パルスから最後から２番目のパルスの継続時間を規定する。この値は、
ｎ＝１６×Ｔｍｐ／Ｔｗ及び、４≦ｎ≦１６
のような数ｎとして、チャネルビットクロック期間の分数として、表現される。
バイト５１は、最大速度での最後のパルス継続時間Ｔｌｐ。このバイトは、最大速度での記録のためにマルチパルストレインの最後のパルスの継続時間を規定する。この値は、
ｎ＝１６×Ｔｌｐ／Ｔｗ及び、４≦ｎ≦２４
のような数ｎとして、チャネルビットクロック期間の分数として、表現される。
バイト５２は、最大速度での第１パルスリード時間ｄＴｔｏｐ。このバイトは、最大速度での記録のためのデータパルスの第２のチャネルビットの後縁に対する、マルチパルストレインの第１パルスのリード時間を規定する。この値は、
ｎ＝１６×ｄＴｔｏｐ／Ｔｗ及び、０≦ｎ≦２４
のような数ｎとして、チャネルビットクロック期間の分数として、表現される。
バイト５３は、最大速度での前のスペース＝３に対する、第１のパルス前縁補正ｄＴｌｅ。このバイトのビット７からビット４は、最大速度での記録のために、前のスペースが３Ｔスペースであったときの、マルチパルストレインの第１のパルスに対する前縁補正を規定する。この値は、図８に従って、チャネルビットクロック期間の分数として表現される。
バイト５４から２５５は、予約−全て（００）である。これらのバイトは全て（００）に設定される。
【００２６】
図８は、前縁補正時間を示す。パラメータは、ｄＴｌｅと呼ばれそして、バイト４７に図７で上述されている。このバイトのビット３からビット０は、００００に設定される。規定されていないビットの組み合わせは、使用できない。
【００２７】
図９は、記録担体セクタ番号付けを示す。記録可能領域は、情報ゾーンと呼ばれる。情報ゾーンは、データ相互交換について関連するディスク上の全ての情報を含む。情報ゾーンは、１つ又はそれ以上のセッションを含む。各セッションは、３つの部分：リードイン／イントロゾーン（Ｌｅａｄ−ｉｎ／Ｉｎｔｒｏ  Ｚｏｎｅ）、データゾーン及び、リードアウト／クロージャゾーン（Ｌｅａｄ−ｏｕｔ／Ｃｌｏｓｕｒｅ  Ｚｏｎｅ）に分割される。両面ディスクでは、面当り１つの情報ゾーンがある。データゾーンは、ユーザデータを記録することが意図されている。リードインゾーンは、制御情報を含む。リードアウトゾーンは、連続する滑らかなリードアウトを可能としそして、制御情報も含む。内周及び外周ドライブエリアは、ディスクのテストのためのものである。説明は、単一セッションディスクについて与えられる。そのようなディスクでは、リードインゾーン、データゾーン及び、リードアウトゾーンは、情報が不可逆効果を使用して記録される、記録可能な領域を構成する。マルチセッションディスクのレイアウトは後に定義される。
【００２８】
図１０は、記録された単一セッションディスクのレイアウトを示す。片面の及び両面ディスクの各面の情報ゾーンは、内周ドライブエリア、リードイン、データゾーン、リードアウトエリア及び、外周ドライブエリアに、副分割されている。半径は、ゾーンの第１（又は最終）トラックの中心の公称値によりゾーンについて示されている。各ゾーンの第１の物理セクタの物理セクタ番号（ＰＳＮ）が示されている。データゾーンは、最初のＰＳＮ（０３００００）を有する。ＰＳＮは、情報ゾーン全体の中で、次の物理セクタごとに１だけ増加する。
【００２９】
図１１は、内周ドライブエリアを示す。内周ドライブエリアは、ディスクテストとＯＰＣアルゴリズムを実行するためにドライブにより使用されるディスクの最内周のゾーンである。各部分の最初及び最終の物理セクタの物理セクタ番号が、１６進と１０進表記で示されそして、各部分内の物理セクタの数は、１０進表記で示されている。以下の副分割が示されている：
−初期ゾーン：このゾーンはブランクのままである。
−内周ディスクテストゾーン：ドライブテスティングとＯＰＣのために予約された１６３８４物理セクタ。
−内周ディスクカウントゾーン：内周ディスクテストゾーンで実行されるＯＰＣアルゴリズムの数を数えるために予約された４０９６物理セクタ。内周ディスクテストゾーン内のＥＣＣブロック又はその部分が記録されるときは常に、ＥＣＣブロックは、内周ディスクカウントゾーン内の４物理セクタを記録することにより、フラグが付される。
−内周ディスク管理ゾーン：オプションのドライブに固有な情報のために使用される４０９６物理セクタ。このゾーンの最初の１６物理セクタは、全てメインデータが（００）に設定される。内周ディスク管理ゾーンはドライブ情報、例えば、ドライブ識別子（ドライブＩＤ）及びドライブ製造者により規定されたデータを含む。
−セッションマップゾーン：ディスク上のセッションと記録物の位置に関する情報を格納する４０９６物理セクタ。このゾーンの最初の１６物理セクタは、全てのメインデータが（００）に設定される。このゾーンは２つの部分から構成される：
パート１：は、全ての閉じられたセッションの位置を格納するのに使用される、セッションマップブロック（ＳＥＭ）と呼ばれるＥＣＣブロック１９１個より構成される。
パート２：は、４セクタのユニットにグループ化された１０２４の物理セクタから構成され、各ユニットは、１つのＡＤＩＰワードに対応する。これらのユニットは、記録されたエリアインジケータとして使用される。
【００３０】
図１２は、セッションマップブロック（ＳＥＭ）のフォーマットを示す。セッションが閉じられるときはいつでも、最後のＳＥＭのすぐあとに続く、セッションマップゾーン内の次のＥＣＣブロックは、全ての閉じられたセッションの位置が記録される。セッションマップゾーンの最初のＥＣＣブロックは、第２のＥＣＣブロックについてのランインとして使用されねばならない。全ての１９１ブロックが使用された場合でも、追加のセッションが追加されることができるが、しかし、ドライブは追加のセッションを見つけるためには検索手順を適用しなければならなくなる。図は、各物理セクタについてのＳＥＭについての次の内容を示す：
物理セクタ０／バイトＤ０からＤ３−コンテンツ記述子。これらのバイトは、セッションＤＣＢを識別し、そして、（５４４Ｆ４３００）に設定され、キャラクタ”ＳＤＣ”及びバージョン番号０を表す。
物理セクタ０／バイトＤ４からＤ７−予約。（００）に設定される。
物理セクタ０／バイトＤ８からＤ３９−ドライブＩＤ。これらのバイトはドライブＩＤを含む。
物理セクタ０／バイトＤ４０からＤ６３−予約。（００）に設定される。
物理セクタ０／バイトＤ６４からＤ２０４７−セッションアイテム。これらのバイトは、各１６バイトの単位でグループ化される。１６バイトの各ユニットは、図１３に従って、セッションアイテムを含むことが可能である。全ての未使用のバイトは、（００）に設定される。
【００３１】
図１３は、セッションアイテムを示す。セッションマップブロック（ＳＥＭ）は、ディスク上の各閉じられたセッションについてのセッションアイテムを含む。セッションアイテムは、次のように、増加する番号及びアドレスで順序付けされる：
バイトＢ０からＢ２：これらの３バイトはアイテム形式を規定しそして、キャラクタ”ＳＳＮ”を示す（５３．５３．４Ｅ）に設定される。
バイトＢ３：このバイトは、このアイテムにおいて規定されているセッションのシーケンス番号を規定する。
バイトＢ４からＢ７：これらの４バイトは、このアイテムにおいて規定されているセッションのデータゾーン内の最初の物理セクタのＰＳＮを規定する。
バイトＢ８からＢ１１：これらの４バイトは、このアイテムにおいて規定されているセッションのデータゾーン内の最後の物理セクタのＰＳＮを規定する。
バイトＢ１２からＢ１５：これらの４バイトは、予約されそして（００）に設定される。
【００３２】
図１４は、記録されたエリアのインジケータを示す。ＳＥＭブロック６１を記録するためのＳＥＭゾーンの最後の部分の概略が示されている。マッピングエリア６０は、ＳＥＭゾーンの終わりに配置される。次のゾーン，即ち、ガードゾーン６２は、右端に示されている。マッピング領域は、最も大きなアドレスで開始して記録される。記録された部分６４は、記録可能エリアの記録された領域を示し、そして未記録部分６３は未記録領域を示す。ディスクのアクセスを高速化するために、記録装置は、ディスクのどの領域で最後に書き込まれたＥＣＣブロックを見つけることができるかを知る必要がある。この目的のために、各エリアが１つのＡＤＩＰワードに対応する、４物理セクタのサイズをもつ記録されたエリアに基づいて、マッピング領域が定義される。これらのエリアは、ランダムＥＦＭ信号で記録される。記録されたＡＤＩＰワードの間ではギャップが許されていない。１０２４物理セクタは、この目的のために予約され、ディスクを最大２５６領域に分割することを可能とする。記録されたエリアインジケータは、ＳＥＭゾーンの外側から、ＳＥＭゾーンの内側に向かって使用される。”ＨＦ−検出”により、記録装置は、記録されたエリアインジケータの開始位置を見つけることができ、最後に記録されたＥＣＣブロックが見つかる領域を決定する。ＰＳＮ＝（０３００００）とＰＳＮ＝（２６０５３Ｆ）の間の６４０個のＥＣＣブロックの各領域は、１つの記録されたエリアインジケータに対応する。最後に記録されたＥＣＣブロックを含むそれまでの全領域は、記録されたエリアインジケータにより示さされる。数学的な形式では、最初の記録されたエリアインジケータが、ＰＳＮＲＡＩからＰＳＮＲＡＩ＋３を有する物理セクタより構成される場合には、最後に記録されたＥＣＣブロックは、
ＰＳＮ＝｛（０２Ａ４７Ｃ）−（ＰＳＮＲＡＩ）｝×（Ａ０）＋（０３００００）と
ＰＳＮ＝｛（０２Ａ４７Ｃ）−（ＰＳＮＲＡＩ）｝×（Ａ０）＋（０３０２８０）との間で又は、１０進数表記では：
ＰＳＮ＝｛１７３１８０−ＰＳＮＲＡＩ｝×１６０＋１９６６０８と
ＰＳＮ＝｛１７３１８０−ＰＳＮＲＡＩ｝×１６０＋１９７２４８との間で見つけることが可能である。
【００３３】
図１５は、リードインゾーンを示す。リードインゾーンは、情報ゾーンの内周に配置されている。未記録のディスクは、リードインゾーン内に記録されたデータはない。ディスクの初期化又は第１のセッションを閉じた後に、リードインゾーンは以下のように記録される。図１５は、以下のようなゾーンとアドレスを示す（表記は図１１と同様）。
−ガードゾーン１：ガードゾーンは、互換性のために要求されるリードインゾーンの最小量を生成するのに使用される。このゾーンは１４．８４８物理セクタを有し、全て、（００）に設定されているメインデータで満たされている。
−予約されたゾーン１：４０９６物理セクタが予約されそして、（００）に設定される。
−予約されたゾーン２：６４物理セクタが予約されそして、（００）に設定される。
−内周ディスク識別ゾーン：２５６物理セクタが、データ相互交換パーティーにより合意された情報のために予約されている。１つのＥＣＣブロックからの１６物理セクタの各組は、ディスク制御ブロック（ＤＣＢ）であるか、全て（００）のメインデータで記録されている。全て（００）のメインデータで記録されたものに続くこのゾーン内の各ＥＣＣブロックも、全て（００）のメインデータで記録される。
−予約されたゾーン３：６４物理セクタが予約されそして、（００）に設定される。
−基準コードゾーン：記録された基準コードゾーンは、ディスク上に特定のチャネルビットパターンを発生する２つのＥＣＣブロックからの３２物理セクタより構成される。これは、各対応するデータフレームの全ての２０４８メインデータバイトを（ＡＣ）に設定することにより達成される。更に、各ＥＣＣブロックの最初のデータフレームの最初の１６０メインデータバイトを除き、これらのデータフレームにスクランブリングは適用されない。
−バッファゾーン１：このゾーンは、３０ＥＣＣブロックからの４８０物理セクタより構成される。このゾーンのデータフレームのメインデータは全て（００）に設定される。
−制御データゾーン：このゾーンは、１９２ＥＣＣブロックからの３０７２物理セクタより構成される。各ＥＣＣブロックの１６物理セクタの内容は、１９２回繰返される。
−バッファゾーン２：このゾーンは、３２ＥＣＣブロックからの５１２物理セクタより構成される。このゾーンのデータフレームのメインデータは全て（００）に設定される。
【００３４】
図１６は、制御データブロックの構造を示す。最初の２０４８バイトは物理フォーマット情報を示し、その内容は図７に与えられている。次の２０４８バイトはディスク製造者情報を構成する。最後の１４ｘ２０４８バイトは、コンテンツ提供者情報のために利用できる。装置の実施例では、コンテンツ提供者情報の２８．６７２バイトはセロ（００）に設定される。ホストから受信されたデータは、阻止されそして、このフィールドに記録されない。これは、例えば、ＤＶＤビデオディスクのビデオを復号する復号鍵のような、秘密の性質のデータが、ここに記録されるのを防止する。物理フォーマット情報は、ディスク及びフォーマット情報を含む。バイト０から２５５の情報は、ディスクのファイナリゼーション又は第１のセッションを閉じている間に、ＡＤＩＰ補助データからコピーされ、そして、ディスク又は第１のセッションの実際の状態（例えば、デーゾーンの実際の最後）を反映する。全２５６バイトは、以下のバイトを除いて、図７に定義された物理ディスク情報と、同じ定義と内容を有する。
バイト０−ディスクカテゴリー及びバージョン番号。
ビットｂ７からｂ４は、ＤＶＤ＋Ｒディスクを示すディスクカテゴリーを規定する。
ビットｂ３からｂ０は、システム記述のバージョン番号を規定する。
バイト１−ディスクサイズ及び最大転送レート。
ビットｂ７からｂ４は、ディスクサイズを規定する、００００に設定され、１２０ｍｍディスクを示す。
ビットｂ３からｂ０は、最大読み出し転送レートを規定する。これらのビットは、応用により必要とされる最大読み出し速度に依存して、以下の値の１つに設定されうる。
００００：２，５２Ｍｂｉｔｓ／ｓの最大転送レート。
０００１：５，０４Ｍｂｉｔｓ／ｓの最大転送レート。
００１０：１０，０８Ｍｂｉｔｓ／ｓの最大転送レート。
１１１１：最大転送レートは規定されない。
他の全ての組合せは予約されそして、使用されない。
バイト２−ディスク構造。
ビットｂ７からｂ４は、００００に設定される。
ビットｂ３からｂ０は、記録層の形式を規定する：それらは００１０に設定され、ライトワンス記録層を示す。
バイト４から１５−データゾーン配置。
バイト４は、（００）に設定される。
バイト５から７は、データゾーンの第１物理セクタのＰＳＮ１９６．６０８を規定する（０３００００）に設定される。
バイト８は、（００）に設定される。
バイト９から１１は、第１のセッションのデータゾーンの最後の物理セクタのセクタ番号を規定する。
バイト１２から１５は、（００）に設定される。
バイト２５６から２０４７−予約。これらの残りのバイトは、ＡＤＩＰ情報を関係がなく、（００）に設定される。
【００３５】
図１７は、リードアウトゾーンを示す。一番上には、ユーザデータを記録するデータゾーン７０が示されている。データゾーンは、ユーザデータエリアの２．２９５．１０４物理セクタを有する。データゾーンの開始半径は、ＡＤＩＰ物理アドレス（００Ｃ０００）の位置により決定される。データゾーンの後に、リードアウトゾーンが続く。リードアウトゾーンは情報ゾーンの外側に配置されている。図１７は、次の部分を示す：
−バッファゾーン３：この記録されたゾーンは、７６８物理セクタより構成される。バッファゾーン３の最後の可能な開始位置は、（２６０５４０）である。このゾーンのデータフレームのメインデータは、全て（００）に設定されている。
−外周ディスク識別ゾーン：データを相互交換するパーティーにより合意された情報について予約された２５６物理セクタ。１つのＥＣＣブロックからの１６物理セクタの各組みは、ディスク制御ブロック（ＤＣＢ）又は全て（００）のメインデータで記録されている。このゾーンの内容は、最後の内周セッション識別ゾーンの内容（又は、単一セッションディスクの場合には、内周ディスク識別ゾーンの内容）に等しい。
−ガードソーン２：このガードゾーンは、ユーザデータを含む情報ゾーンから、テスト書き込みゾーンを分離する保護として使用される。このゾーンは、（００）に設定されたメインデータで埋められる。このゾーンは、最小の４０９６物理セクタを含む。
−外周ドライブエリア：外周ドライブエリアは、ディスクテストとＯＰＣアルゴリズムを実行するために、ドライブにより使用される、ディスクの最外周のゾーンである。
【００３６】
図１８は、外周ドライブエリアを示し、ガードゾーン２で開始する。以下の部分が示されている：
−外周ディスク管理ゾーン：オプションのドライブに特定の情報のために使用される、４０９６物理セクタ。このゾーンへの最初の１６物理セクタは、全て（００）で設定されたメインデータで満たされている。このゾーンは、内周ディスク管理ゾーン（０参照）と同様に使用されることが可能である。
−外周ディスクカウントゾーン：外周ディスクテストゾーンで実行されるＯＰＣアルゴリズムの数を数えるための予約された４０９６物理セクタ。
−外周ディスクテストゾーン：ドライブテストとＯＰＣアルゴリズムに対して予約された１６３８４物理セクタ。外周ディスクテストゾーンのＥＣＣブロック又はその部分が記録されたときはいつでも、ＥＣＣブロックは、外周ディスクカウントゾーンに４物理セクタを記録することによりフラグ付けされる。
−ガードゾーン３：このゾーンは、ブランクのまま残る。
【００３７】
図１９は、マルチセッションディスクの情報ゾーンのレイアウトを示す。ディスク上には、１つ以上のセッションが存在でき：セッション１、セッション２及び、最後のセッションＮが示されている。イントロ（Ｉｎｔｒｏ）及びクロージャ（Ｃｌｏｓｕｒｅ）を有するセッションは、閉じられたセッションと呼ばれる。第１のセッションは、イントロゾーンの代わりにリードインゾーンが先行し、最終セッションは、クロージャゾーンの代わりにリードアウトゾーンが続く。一旦リードアウトゾーンが記録されると、そのディスクは”ファイナライズされた”と呼ばれ、そして、ディスクへの追加の記録は許されない。イントロ及びクロージャのないセッションは、オープンセッションと呼ばれる。全てのセッションは、オープンセッションであることが許されている最後のものを除いては、閉じられたセッションでなければならない。ユーザデータは、オープンセッションにのみ追加されることが可能である。全てのセッションが閉じられている場合には、新たなオープンセッションが追加されることが可能である。最初の閉じられたセッションは、図１５に記載のように、リードインを有する。続く閉じられたセッションは、以下に規定のようにイントロを有しなければならない。各閉じられたセッションは、図１７を参照して記載のようにリードアウトを有する最終セッションを除いて、以下に定義するように、クロージャを有する。
【００３８】
ＰＳＮ３００００で開始する第１のセッション後に発生する各新たなセッションは、イントロゾーンで始まる。イントロゾーンは、バッファゾーンＡ、内周セッション識別ゾーン、セッション制御データゾーン、及び、バッファゾーンＢより構成される。イントロゾーンの全物理セクタはゼロゼロに設定されているデータフレームのビットｂ２７とｂ２６を有する。これは、図９を参照して記載したように、イントロゾーンを、あたかもデータゾーンであるかのように識別する。バッファゾーンＡは、（００）に設定される６４物理セクタより構成される。内周セッション識別ゾーンは、データ相互交換パーティーにより合意された情報について予約された２５６物理セクタより構成される。一つのＥＣＣブロックからの１６物理セクタの各組は、ディスク制御ブロック（ＤＣＢ）（図２１参照）であるか、全て（００）のメインデータで記録されている。全て（００）のメインデータで記録されたものに続くこのゾーン内の各ＥＣＣブロックも、全て（００）のメインデータで記録される。セッション制御データゾーンは、４０ＥＣＣブロックからの６４０物理セクタで構成される。各ＥＣＣブロックの１６物理セクタの内容は、４０回繰返される。制御データブロックの構造は、図１６に示されている。最後に、バッファゾーンＢは、（００）に設定されている６４物理セクタより構成される。
【００３９】
各セッションは、２つの部分：バッファゾーンＣ及び外周セッション識別ゾーンより構成されるクロージャゾーンで終了する。クロージャゾーン内の全ての物理セクタは、ゼロゼロに設定されたデータフレームのビットｂ２７とｂ２６を有し、これは、クロージャゾーンを、それがあたかもデータゾーンであるかのように識別する。バッファゾーンＣは、（００）に設定された７６８物理セクタより構成される。外周セッション識別ゾーンは、データを相互交換するパーティーにより合意された情報について予約された２５６物理セクタより構成される。一つのＥＣＣブロックからの１６物理セクタの各組は、ディスク制御ブロック（ＤＣＢ）（図２１参照）であるか、全て（００）のメインデータで記録されている。このゾーンの内容は、最後の内周識別ゾーンの内容と同じである。
【００４０】
本発明に従ったライトワンス形式の記録担体、例えば、ＤＶＤ＋Ｒディスクは、ディスクの内周からディスクの外周へ向かって順次に記録される。読み出し専用装置との互換性は、ディスクがリードインゾーンを有し、全てのセッションが閉じられそして、リードインゾーンの開始とリードアウトゾーンの終了の間にブランクの領域がないときにのみ、達成される。
【００４１】
図２０は、開かれた（オープン）セッションｎの詳細を示す。データをオープンセッションに追加することにより、新たなデータがディスクに追加できる。全セッションが閉じられている場合には、新たなセッションが開かれる。新たなセッションは、バッファゾーンＡと内周セッション識別ゾーンの最初のＥＣＣブロック内のＳＤＣＢ（セッションディスク制御ブロック、図２２参照）とを記録することにより開かれる。更にイントロのバッファゾーンＢが記録される。ブランクディスク上の最初のセッションは、予約されたゾーン２に加えて内周ディスク識別ゾーンの最初のＥＣＣブロックにＳＤＣＢを記録することにより開かれ、そして更に、ブランクディスクの最初のセッションの場合には、リードインゾーンのバッファゾーン２が記録される。データゾーンに追加されるユーザデータは、データゾーンに前に書きこまれたユーザデータに又は、予約エリアの１つに前に書きこまれたデータにすぐにリンクされる。記録された領域に予約されたエリアが先行する場合には、追加のＥＣＣブロックが、記録された領域の最初のＥＣＣブロックに対するランインとして必要である。追加のＥＣＣブロックは、記録された領域の部分として考えられねばならず、そしてこれゆえに、先行する予約されたエリアには属しない。
【００４２】
更なるユーザデータが記録される必要がないときには、セッションが閉じられうる。ＤＶＤ−ＲＯ装置との互換性が望ましいときには、ディスク上の全てのセッションは閉じられる。セッションは、リードイン／イントロゾーンに全ての残りの部分を記録しそして、クロージャゾーンを追加することにより閉じられる。リードインゾーン又はイントロゾーンでは、制御データゾーンは記録されるべきである。各イントロで、セッション制御データゾーンは、物理フォーマット情報の以下の設定で、図１５を参照して上述したようなフォーマットに従って、４０ＥＣＣブロックで記録される：
バイト０−ディスクカテゴリー及びバージョン番号。
ビットｂ７からｂ４は、ディスクカテゴリーを規定し、それらは、ＤＶＤ＋Ｒディスクを示す、予め定められた値に設定される。
ビットｂ３からｂ０は、バージョン番号を規定し、それらは、標準のバージョン番号を示す、予め定められた値に設定される。
バイト１−ディスクサイズ及び最大転送レート。
ビットｂ７からｂ４は、ディスクサイズを規定し、それらは、１２０ｍｍディスクを示す、００００に設定される。
ビットｂ３からｂ０は、最大読み出し転送レートを規定する。
これらのビットは、以下の値の１つに設定される（応用により必要とされる最大読み出し速度に依存する）：
００００：２，５２Ｍｂｉｔｓ／ｓの最大転送レート。
０００１：５，０４Ｍｂｉｔｓ／ｓの最大転送レート。
００１０：１０，０８Ｍｂｉｔｓ／ｓの最大転送レート。
１１１１：最大転送レートは規定されない。
他の全ての組合せは予約されそして、使用されない。
バイト２−ディスク構造。
ビットｂ７からｂ４は、００００に設定される。
ビットｂ３からｂ０は、記録層の形式を規定する：それらは００１０に設定され、ライトワンス記録層を示す。
バイト３−記録密度。
ビットｂ７からｂ４は、情報ゾーンの平均チャネルビット長を規定し、それらは、０，１３３μｍを示す、００００に設定される。
ビットｂ３からｂ０は、平均トラックピッチを規定し、それらは、０，７４μｍの平均トラックピッチを示す、００００に設定される。
バイト４から１５−データゾーン配置。
バイト４は、（００）に設定される。
バイト５から７は、現在のセッションのデータゾーンの第１物理セクタのセクタ番号を規定する。
バイト８は、（００）に設定される。
バイト９から１１は、現在のセッションのデータゾーンの最後の物理セクタのセクタ番号を規定する。
バイト１２から１５は、（００）に設定される。
バイト１６から２５５−予約−全て（００）。
これらのバイトは、ＡＤＩＰ情報からコピーされず、（００）に設定される。
バイト２５６から２０４７−予約−全て（００）。
これらの残りのバイトは、ＡＤＩＰ情報を関係がなく、全て（００）に設定される。
ディスク製造情報とコンテンツ提供者情報は、上述のようである。
【００４３】
クロージャゾーンは次のように定義される。閉じるセッションで、バッファゾーンＣは、外周セッション識別ゾーンと共に記録される。
【００４４】
これ以上のセッションが記録されないときには、ユーザはディスクのファイナライズを決定できる。ディスクがファイナライズされるときには、クロージャゾーンの代わりに、リードアウトゾーンが、図１７を参照して上述したように、記録される。ディスクをファイナライズした後に、もはやデータの追加は可能ではない。
【００４５】
図２１は、ディスクコントロールブロックの一般的なフォーマットを示す。ディスク制御ＥＣＣブロック（ＤＣＢ）は、データを相互交換するパーティーの間での相互交換のために追加情報を含めるためにディスク上の構造として設けられる。ＤＣＢは、ディスク又はセッションの内周及び外周識別ゾーンに記録される。全ＤＣＢは、最初の４０データバイトについて同じフォーマットを有する。特別なＤＣＢが、セッションの状態を反映するために定義される。ディスク制御ブロックが更新されなければならないときには、代わりのＤＣＢが、内周セッション識別ゾーンの最後に書きこまれたＤＣＢのすぐあとに続いて書きこまれる。一旦セッションが閉じられると、ＤＣＢをもはや更新できない。各ディスク制御ブロックのメインデータは、次のように規定される（図２１参照）：
バイトＤ０からＤ３−コンテンツ記述子。
−（００００００００）に設定される場合には、ＤＣＢは使用されない。内周又は外周識別ゾーン内の全ての後続のＤＣＢのコンテンツ記述子は、（００００００００）に設定され。全ての残りのバイト、物理セクタ０のＤ４からＤ２０４７及び、物理セクタ１から１５のＤ０からＤ２０４７は、（００）に設定される。
−（５３４４４３００）に設定される場合には、このＤＣＢは以下のように定義されるセッションＤＣＢ（ＳＤＣＢ）である。
−コンテンツ記述子の全ての他の値は、予約される。
内周又は外周識別ブロックに加えられる各新たなＤＣＢは、最初の有効な未書き込みのＤＣＢ位置へ書きこまれる。
セッションの内周識別ゾーンの（００００００００）に設定されていないコンテンツ識別子を有する各ＤＣＢは、それぞれのセッションの外周識別ゾーン内の同一のＤＣＢを有する。内周識別ゾーンのＤＣＢの順序は、外周識別ゾーン内の順序と同じである。
バイトＤ４からＤ７−知られていないコンテンツ記述子動作。
−これらのビットは、コンテンツとＤＣＢの使用は知られていない（即ち、コンテンツ記述子は、知られた割当て値に設定されていない）ときに、要求される動作を規定するために設けられる。これらのバイトは、３２の個々のビットより構成されるフィールドを構成する。
ビットｂ３１からｂ４は予約。これらのビットは、全てゼロに設定される。
ビットｂ３は、ＤＣＢ再書き込み、１に設定されていつ場合には、現在のＤＣＢの置換が許されず、それ以外は、ゼロに設定される。
ビットｂ２は、フォーマッティング、１に設定されている場合には、ディスクの再フォーマッティングが許されず又は不可能であり、それ以外は、ゼロに設定される。
ビットｂ１は、ＤＣＢリード保護、１に設定されている場合には、このＤＣＢ内の情報はそのドライブのみにより使用されることを意味しそしてそのドライブ外に転送されず、それ以外は、ゼロに設定される。
ビットｂ０は、データゾーンライト、１に設定されている場合には、データゾーン内で記録が許されておらず、それ以外は、ゼロに設定される。
バイトＤ８からＤ３９は、ドライブＩＤ。
−バイトＤ８からＤ３９は、唯一の識別子を含み、ＤＣＢを書いたドライブを識別するこの。唯一のドライブ識別子のフォーマットは、次のようである：バイトＤ８からＤ２３は、ドライブの製造者を識別する。バイトＤ２４からＤ３５は、ドライブのモデル名／形式番号を識別する。バイトＤ３６からＤ３９は、ドライブの唯一のシリアル番号を含む。４バイトは、１つの３２−ビット２値番号を構成する。
−バイトＤ４０からＤ２０４７はコンテンツ記述子に特定である。バイトは、実際のコンテンツ記述子値を有するＤＣＢについての記述により規定される。
物理セクタ１から１５：バイトＤ０からＤ２０４７は、コンテンツ記述子に特定である。バイトは、実際のコンテンツ記述子値を有するＤＣＢについてのフォーマット記述により規定される。
【００４６】
図２２は、セッションディスク制御ブロック（ＳＤＣＢ）のフォーマットを示す。セションのリードイン／イントロゾーンとリードアウト／クロージャゾーンの両方は、そのセッションのセッションマップを含むＳＤＣＢを含む。内周と外周セッション識別ゾーンのＳＤＣＢは、同一であり、以下のような内容を有する：
物理セクタ０／バイトＤ０からＤ３−コンテンツ記述子。これらのバイトは、セッションＤＣＢを識別しそして、（５３４４４３００）に設定され、キャラクタ”ＳＤＣ”とバージョン番号０を表す。
物理セクタ０／バイトＤ４からＤ７−知られていないコンテンツ記述子動作。このバイトは、（０００００００Ｄ）に設定され、このＤＣＢがシステムに知られていないかどうかを示し、ＤＣＢは置換されず、ディスクは再フォーマットできず、データゾーンへの書きこみは許されておらず、しかし、ドライブからホストコンピュータへＤＣＢ情報を転送することは許されている。
物理セクタ０／バイトＤ８からＤ３９−ドライブＩＤ。これらのバイトは、上述の図２１で規定されたように、バイトＤ８からＤ３９にドライブＩＤを含む。
物理セクタ０／バイトＤ４０からＤ４１−セッション番号。これらのバイトは、ＳＤＣＢが属するセッションのシーケンス番号を規定する。第１セッションはシーケンス番号１を有し、そして、各後続のセッション番号は１ずつ増加する。
物理セクタ０／バイトＤ４２からＤ６３−予約。これらのバイトは予約されそして、（００）に設定される。
物理セクタ０／バイトＤ６４からＤ９５−ディスクＩＤ。第１セッションのリードインゾーン内の内周ディスク情報ゾーン内のＳＤＣＢには、これらの３２バイトがランダムな、統計的に唯一の、２５６−ビット２値番号が、ディスクの初期化（第１セッションを開くとき）で、記録される。各次のセッションのイントロ内の内周セッション識別ゾーンのＳＤＣＢには、バイトＤ６４からＤ９５は、全て（００）に設定される。
物理セクタ０／バイトＤ９６からＤ１２７−応用に依存するフィールド。このフィールドは、３２バイトよりなり、特定のコピー保護データのような情報を格納するために応用により使用されるために予約される。この設定が応用により規定されない場合には、このバイトは（００）に設定される。各セッションで、これらのバイトは独立に設定される。
物理セクタ０／バイトＤ１２８からＤ２０４７−セッションアイテム（ＳＥＳ）である。これらのバイトは、各１６バイトの単位でグループ化される。１６バイトの各ユニットは、２つの異なるＳＥＳアイテムの内の１つを含む：
−現在のセッションの予約された領域を規定する、予約されたエリアアイテム、
−前のセッションの開始と終了アドレスを規定する前のセッションアイテム。
未使用の全てのバイトは、（００）に設定される。
【００４７】
図２３は、予約されたエリアアイテムを示す。ＳＤＣＢは、１つ以上の予約されたエリアアイテムを含むことが可能である。予約されたエリアがない場合には、予約されたエリアアイテムはない。新たな予約されたエリアが現在オープンのセッションに追加されねばならない場合には、新たなＳＤＣＢが、最後のＳＤＣＢのすぐ後に続き、現在のセッションの内周識別ゾーンに書きこまれる。内周識別ゾーンに最後に書きこまれたＳＤＣＢは、有効なＳＤＣＢである。セッション内の予約されたエリアオーバーラップされない。予約されたエリアアイテムは、昇順のアドレスに順序付けされる。図は、次のような予約されたエリアのレイアウトを示す：
バイトＢ０からＢ２：これらの３バイトは、アイテム形式を識別しそして、（５２５３５６）に設定され、キャラクタ”ＲＳＶ”を示す。
バイトＢ３：このバイトは、予約されたエリアのシーケンス番号を規定する。セッションの第１の予約されたエリアはシーケンス番号１を有しそして、各続く予約されたエリア番号は、１ずつ増加する。
バイトＢ４からＢ７：これらの４バイトは、このアイテムに規定される予約されたエリアに属する最初の物理セクタのＰＳＮを規定する。
バイトＢ８からＢ１１：これらの４バイトは、このアイテムに規定される予約されたエリアに属する最後の物理セクタのＰＳＮを規定する。
バイトＢ１２からＢ１５：これらの４バイトは、予約されそして（００）に設定される。
【００４８】
図２４は、前のセッションアイテムを示す。ＳＤＣＢは、現在のセッションに先行する各セッションに対する前のセッションアイテムを含む。最初のセッションのＳＤＣＢは、前のセッションアイテムを含まない。前のセッションアイテムは、昇順のアドレスに順序付けされる。図は、次のような前のセッションアイテムのレイアウトを示す：
バイトＢ０からＢ２：これらの３バイトは、アイテム形式を識別しそして、（５３５３４Ｅ）に設定され、キャラクタ”ＳＳＮ”を示す。
バイトＢ３：このバイトは、このアイテムに規定された前のセッションのシーケンス番号を規定する。
バイトＢ４からＢ７：これらの４バイトは、このアイテムに規定される前のセッションのデータゾーン内の最初の物理セクタのＰＳＮを規定する。
バイトＢ８からＢ１１：これらの４バイトは、このアイテムに規定される前のセッションのデータゾーン内の最後の物理セクタのＰＳＮを規定する。
バイトＢ１２からＢ１５：これらの４バイトは、予約されそして（００）に設定される。
【００４９】
本発明を、主にＤＶＤ＋Ｒを使用して実施例により説明したが、同様な実施例は、他の光記録システムについて適する。情報担体については、光ディスクが記載されているが、磁気ディスク又はテープのような、他の媒体も使用できる。この文書中で単語”含む”、”有する”は、記載されていない他の構成要素又はステップの存在を除外せず、構成要素の前の単語”ａ”、”ａｎ”は、複数のそのような要素の存在を除外せず、参照符号は請求項の範囲を限定せず、本発明はハードウェアとソフトウェアの両方で実行されことができ、そして、幾つかの”手段”はハードウェアの同じアイテムで表現されることは、注意する。更に、本発明の範囲は、実施例に限定されず、本発明は、上述の各々の新しい特徴又は特徴の組みわせを有する。
【００５０】
いくつかの態様を以下に記載しておく。
〔態様1〕
ライトワンス形式の記録担体上の記録可能領域のトラック内にマルチセッションで情報を記録する装置であって、この情報ボリュームは、スタートゾーン、データゾーン及び、エンドゾーンを含み、当該装置は、
・記録担体から情報を読み出す検索手段と；
・情報を処理して、記録担体のトラックに沿った前記情報を表すマークとしてヘッドにより記録されるべき書き込み信号を発生させる書き込み処理手段と；
・制御ユニットに結合されたマッピングユニットと；
・前記制御ユニットおよび前記マッピングユニットに結合された検出ユニットとを有しており；
前記マッピングユニットは、セッションマップゾーン内に相続く一連のセッションマップブロックを記録するよう前記書き込み処理手段を制御するよう構成されており、
前記検出ユニットは、前記セッションマップゾーンから前記セッションマップブロックを検索するよう前記検索手段を制御するよう構成されており、
前記セッションマップゾーンは記録担体のリードイン領域の前の内周ドライブエリアに位置しており、
セッションマップブロックは、前記セッションマップブロックを記録する時点での各閉じられたセッションの位置データを相続く一連のセッションアイテム内に含む一つのＥＣＣブロックであり、各セッションアイテムは一つの閉じられたセッションの位置データを含むものであり、閉じられたセッションは情報の記録が完了しているセッションであり、
前記マッピングユニットは、セッションが閉じられるときは常に、最後のセッションマップブロックの直後にすべての閉じられたセッションの位置を含むセッションマップブロックを記録するよう前記書き込み処理手段を制御するよう構成されている、ことを特徴とする装置。
〔態様２〕
前記セッションマップブロックは各閉じられたセッションについて少なくとも１つのセッションアイテムを含み、セッションアイテムは対応する閉じられたセッションのスタート及びエンドアドレスを含む、態様１に記載の装置。
〔態様３〕
前記セッションアイテムは、セッションを識別するセッション番号を含む、態様１に記載の装置。
〔態様４〕
前記セッションマップブロックは、そのセッションマップブロックを記録した装置を示すドライブ識別子を含む、態様１に記載の装置。
〔態様５〕
前記セッションマップゾーンは、１９１ＥＣＣブロックの長さを有し、１つのＥＣＣブロックは、情報とその情報を検索するときに発生する誤りを訂正するための誤り訂正符号を含む、態様１に記載の装置。
〔態様６〕
前記マッピング手段は、セッションマップゾーンの前に且つ隣接して、値ゼロを有するメインデータで満たされている１つのＥＣＣブロックのサイズを有するバッファゾーンを記録し、且つ、一連の記録されたエリアインジケータをセッションマップゾーンの後に且つ隣接する記録されたエリアインジケータゾーンにおいて管理するように、構成される、態様１に記載の装置。
〔態様７〕
ライトワンス形式の記録担体上の記録可能領域のトラック内にマルチセッションで情報を記録する方法であって、この情報ボリュームは、スタートゾーン、データゾーン及び、エンドゾーンを含み、当該方法は、情報を表すマーク及び記録された情報ボリュームの位置を示す位置データを記録することを含み、当該方法は、
記録担体の内周ドライブエリアに位置するセッションマップゾーン内に、相続く一連のセッションマップブロックを記録し、
前記セッションマップゾーン内に記録されたセッションマップブロックを検索するために光ディスクから情報を読み出す段階を有しており、
セッションマップブロックは、前記セッションマップブロックを記録する時点での各閉じられたセッションの位置データを相続く一連のセッションアイテム内に含む一つのＥＣＣブロックであり、各セッションアイテムは一つの閉じられたセッションの位置データを含むものであり、閉じられたセッションは情報の記録が完了しているセッションであり、
当該方法がさらに、セッションが閉じられるときは常に、最後のセッションマップブロックの直後にセッションマップブロックを新たに記録する段階を含む、ことを特徴とする方法。
【図１ａ】
2011175731.tif 000005
【図１ｂ】
2011175731.tif 000006
【図２】
2011175731.tif 000007
【図３】
2011175731.tif 000008
【図４】
2011175731.tif 000009
【図５】
2011175731.tif 000010
【図６】
2011175731.tif 000011
【図７】
2011175731.tif 000012
【図８】
2011175731.tif 000013
【図９】
2011175731.tif 000014
【図１０】
2011175731.tif 000015
【図１１】
2011175731.tif 000016
【図１２】
2011175731.tif 000017
【図１３】
2011175731.tif 000018
【図１４】
2011175731.tif 000019
【図１５】
2011175731.tif 000020
【図１６】
2011175731.tif 000021
【図１７】
2011175731.tif 000022
【図１８】
2011175731.tif 000023
【図１９】
2011175731.tif 000024
【図２０】
2011175731.tif 000025
【図２１】
2011175731.tif 000026
【図２２】
2011175731.tif 000027
【図２３】
2011175731.tif 000028
【図２４】
2011175731.tif 000029